(57)【要約】【課題】  電流リークによる静電吸着ベルトや記録ヘッドの破損を防ぐと共に、記録ヘッドから吐出されるインク滴が電界の影響を受けることによる着弾位置のずれを抑えることができる記録媒体搬送装置を提供する。【解決手段】  記録媒体搬送装置は、静電気力によって記録媒体を吸着する静電吸着ベルトである搬送ベルト１０２と、搬送ベルト１０２の高圧給電部１０３に電圧を印加する高圧電源４０４とを有する。記録媒体搬送装置は、高圧電源４０４から搬送ベルト１０２の高圧給電部１０３へ印加する電圧を制御する高圧電源制御装置４０３と、記録媒体に関する記録媒体情報を高圧電源制御装置４０３へ送信する記録制御装置４０１とをさらに有する。高圧電源制御装置４０３は、高圧電源４０４によって搬送ベルト１０２の高圧給電部１０３へ印加する電圧の値を、記録制御装置４０１から送信されてきた記録媒体情報に応じて変更する。【選択図】  図４
2010024051.tif 000002
【特許請求の範囲】
【請求項１】
静電気力によって記録媒体を吸着する静電吸着ベルトと、前記静電吸着ベルトに電圧を印加する電源装置と、前記電源装置から前記静電吸着ベルトの給電部へ印加する電圧を制御する電圧制御装置と、前記記録媒体に関する記録媒体情報を前記電圧制御装置へ送信する記録制御装置と、を有する記録媒体搬送装置において、
前記電圧制御装置は、前記電源装置によって前記給電部へ印加する電圧の値を、前記記録制御装置から送信されてきた前記記録媒体情報に応じて変更することを特徴とする記録媒体搬送装置。
【請求項２】
前記記録媒体情報は、前記記録媒体が光沢紙であるか否かに関する情報を含んでいる、請求項１に記載の記録媒体搬送装置。
【請求項３】
前記電圧制御装置は、前記記録媒体情報に前記記録媒体が光沢紙であることが含まれていた場合には前記電源装置によって前記給電部へ印加する電圧を所定の電圧とし、前記記録媒体情報に前記記録媒体が光沢紙であることが含まれていない場合には前記電源装置によって前記給電部へ印加する電圧を前記所定の電圧よりも高い電圧とする、請求項２に記載の記録媒体搬送装置。
【請求項４】
前記記録媒体情報は、前記記録媒体の平滑度に関する情報を含んでいる、請求項１に記載の記録媒体搬送装置。
【請求項５】
前記電圧制御装置は、前記記録媒体情報に含まれている前記記録媒体の平滑度が２０００秒以上である場合には前記電源装置によって前記給電部へ印加する電圧を所定の電圧とし、前記記録媒体情報に含まれている前記記録媒体の平滑度が２０００秒未満である場合には前記電源装置によって前記給電部へ印加する電圧を前記所定の電圧よりも高い電圧とする、請求項４に記載の記録媒体搬送装置。
【請求項６】
静電気力によって記録媒体を吸着して搬送するベルトと、
搬送する記録媒体に関する情報を取得する情報取得手段と、
前記情報取得手段が取得した記録媒体に関する情報に応じて、電源から前記ベルトに印加する電圧を制御する電圧制御手段と、を有する記録媒体搬送装置。
【請求項７】
前記記録媒体に関する情報は記録媒体の種類に関する情報である請求項６に記載の記録媒体搬送装置。
【請求項８】
前記記録媒体に関する情報は記録媒体の光沢の多寡に関する情報である請求項６に記載の記録媒体搬送装置。
【請求項９】
前記記録媒体に関する情報は記録媒体の表面の平滑性に関する情報である請求項６に記載の記録媒体搬送装置。
【請求項１０】
前記記録媒体に関する情報を取得する手段は紙種情報を入力する入力手段である請求項６に記載の記録媒体搬送装置。
【請求項１１】
前記記録媒体に関する情報を取得する手段は紙種を検知するセンサである請求項６に記載の記録媒体搬送装置。
【請求項１２】
前記センサは記録媒体の表面に光を照射する光源と、前記記録媒体の表面で反射した前記光源の反射光を読み取る読取手段を有する請求項１１に記載の記録媒体搬送装置。
【請求項１３】
前記センサは記録媒体の表面に光を照射する光源と、前記記録媒体の表面で反射した前記光源の反射光を受光する受光手段を有する請求項１１に記載の記録媒体搬送装置。
【発明の詳細な説明】
【技術分野】
【０００１】
本発明は、記録装置の記録媒体搬送装置に関する。
【背景技術】
【０００２】
従来から、ワードプロセッサ、パーソナルコンピュータ、ファクシミリ等に於ける情報出力装置として、所望される文字や画像等の情報を用紙やフィルム等シート状の記録媒体に記録を行うプリンタ（記録装置）が知られている。プリンタの記録方式としては様々な方式が知られているが、用紙等の記録媒体に非接触記録が可能である、ランニングコストが安い、カラー化が容易である、ノンインパクト方式であるため静粛性に富む、等の理由でインクジェット方式が近年特に注目されている。
【０００３】
特に、インクジェット記録装置の中でも、記録幅に対応した記録素子（ノズル）列を備えた記録ヘッドを有し、記録媒体を搬送させつつ記録を行うフルライン型の記録装置は、記録の一層の高速化が可能であることから、広く使用されつつある。このようなフルライン型の記録装置は、それぞれ異なった色のインクを吐出する複数の記録ヘッドを記録媒体の搬送方向に配列して、各記録ヘッドから同時にインクを吐出可能とすることにより、カラー記録の際にも記録速度を低下させないように構成される。
【０００４】
このようなインクジェット記録装置の記録ヘッドは、吐出口からインクを液滴として吐出するためにインクに与えるエネルギーを発生するエネルギー発生体と、このエネルギー発生体を内在し、かつ、上述の吐出口に連通するインク流路とを備えている。さらに、このインク流路を通じて上述のエネルギー発生体に供給するインクを収容するインクタンク等のインク収容手段を備えたものもある。
【０００５】
記録装置は、記録情報に基づいて用紙やプラスチック薄板等の被記録材に画像（文字や記号等を含む）を記録していくように構成されている。近年、記録装置は、従来のドットマトリックスプリンタに代わって、レーザービームプリンタ（以下、「ＬＢＰ」と略す。）、インクジェットプリンタ（以下、「ＩＪＰ」と略す。）、サーマルプリンタなどが実用化されてきた。そして、今日に至っては、高解像度で高品位の階調表現が可能なＬＢＰや、写真画質品位のフルカラー表現が可能なＩＪＰなどが実用化されている。このＩＪＰの記録装置本体の高性能化に伴って、記録装置の記録性能を十分に引き出すために、光沢紙、光沢フィルム、コード紙等の高品位記録媒体、さらには写真画質専用なる媒体も実用化されている。このため、ＩＪＰの記録装置本体には多様化する様々な記録用紙に記録を行うことができる性能が求められ、それに伴い、記録速度もＬＢＰ並の高速性能が求められるようになっている。
【０００６】
そこで、高速ＩＪＰでは、フルライン型のインクジェット記録ヘッドを搭載し、従来型のＩＪＰのように記録ヘッドを記録媒体の搬送方向に直交する方向に移動させることなく、記録ヘッドの下方に記録媒体を搬送するだけで記録を行えるように構成されている。これにより、記録ヘッドを記録媒体の搬送方向に直交する方向に移動させる従来のＩＪＰのように記録媒体を断続的に搬送するのではなく、記録媒体を連続して搬送できるため、記録速度の高速化を実現できる。また、インクを吐出するためのノズル数も格段に増加しているため、単位時間あたりの記録面積も増加することから、記録媒体を高速に搬送して十分な記録速度を得ることができる。
【０００７】
このような記録装置では、記録媒体を搬送する無端状のベルト部材に導電性の電極を設け、それに電荷を与えて静電気力を発生させ、記録媒体を前記ベルト部材に吸着させて搬送しつつ記録を行う記録媒体搬送装置が一般的に用いられている。以下、従来の記録媒体搬送装置の構成について、図７〜図９を参照して用いて説明する。図７は無端状の搬送ベルト部材の断面図、図８は図７に示した搬送ベルト部材の平面図である。また、図９は図７等に示した搬送ベルト部材に給電を行う給電手段の構成を示す図である。
【０００８】
図７及び図８を参照すると、無端状ベルト部材としての搬送ベルト３１には、導電金属からなる電極３６ａ，３６ｂ、ベース層３６ｃ、表層３６ｄ、被給電部材３６ｅなどで構成されている吸着力発生手段が一体に設けられている。被給電部材３６ｅと表層３６ｄとは同一平面を形成している。
【０００９】
また、図９に示すように、搬送ベルト３１に給電を行う給電手段は、給電ブラシ５１′、給電電極５２′及び支持部材５３′を備えている。被給電部材３６ｅには電荷を供給する給電ブラシ５１′が接している。この給電ブラシ５１′から被給電部材３６ｅへ電荷が供給されると、搬送ベルト３１に静電気力が発生する。これにより、搬送ベルト３１に常に良好な吸着力を発生させることができる。
【００１０】
また、給電ブラシ５１′よりも記録媒体の搬送方向下流側には、搬送ベルト３１の被給電部材３６ｅに接して除電を行う除電ブラシ（不図示）が設けられている。この除電ブラシで搬送ベルト３１を除電して吸着力をなくすことにより、搬送ベルト３１からの記録媒体のスムーズな排紙を行うことが可能となる。
【００１１】
上述した従来の記録媒体搬送装置は、特許文献１に開示されている。
【先行技術文献】
【特許文献】
【００１２】
【特許文献１】特開２００３−１６０２５３号公報
【発明の概要】
【発明が解決しようとする課題】
【００１３】
しかしながら、記録媒体を無端状ベルトに静電気力によって吸着させるためには、電極に高電圧を印加しなければならない。さらに、静電吸着力の弱い記録媒体や無端状ベルトに沿って吸着しにくい記録媒体の場合、無端状ベルトと記録媒体との間に隙間が生じやすく、記録媒体の一部が無端状ベルトから浮いた状態になる。このような状態が発生した場合、記録媒体が無端状ベルトによりインクジェット記録ヘッドの直下を通過する時に記録媒体がインクジェットヘッドの底面に接触する恐れがあり、記録不良を引き起こしたり、記録ヘッドを破損したりする恐れもある。
【００１４】
このような問題を解決するために、電極に印加する電圧を高くすることが考えられる。しかしながら、電圧を高くすると電流リークが発生しやすくなり、それによって無端状ベルト自体を破損してしまう恐れがある。また、無端状ベルトとインクジェット記録ヘッドとの間に電流リークが発生すると、それによってインクジェット記録ヘッドも破損してしまう恐れがある。
【００１５】
また、無端状ベルトの周囲に発生する電解の強さは電極に印加される電圧に比例して強くなるため、インクジェット記録ヘッドから吐出されるインク滴が電界の影響を受けやすくなる。そのため、インクジェット記録ヘッドから吐出されるインク滴が電界の影響を受け、記録媒体上の所定の位置から電界の影響を受けた分だけずれて記録媒体上に着弾し、記録画像の品位が劣化してしまうという問題が生じる。
【００１６】
そこで本発明は、電流リークによる搬送ベルトや記録ヘッドの破損を防ぎ、記録ヘッドから吐出されるインク滴が電界の影響を受けることによる着弾位置のずれを抑えつつも、記録媒体を良好に搬送することが可能な記録媒体搬送装置を提供することを目的とする。
【課題を解決するための手段】
【００１７】
上記目的を達成するため、本発明の記録媒体搬送装置は、静電気力によって記録媒体を吸着する静電吸着ベルトと、前記静電吸着ベルトに電圧を印加する電源装置と、前記電源装置から前記静電吸着ベルトの給電部へ印加する電圧を制御する電圧制御装置と、前記記録媒体に関する記録媒体情報を前記電圧制御装置へ送信する記録制御装置と、を有する記録媒体搬送装置において、前記電圧制御装置は、前記電源装置によって前記給電部へ印加する電圧の値を、前記記録制御装置から送信されてきた前記記録媒体情報に応じて変更することを特徴とする。
【発明の効果】
【００１８】
本発明によれば、電流リークによる搬送ベルトや記録ヘッドの破損を防ぎ、記録ヘッドから吐出されるインク滴が電界の影響を受けることによる着弾位置のずれを抑えつつも、記録媒体を良好に搬送することが可能な記録媒体搬送装置を提供することができる。
【図面の簡単な説明】
【００１９】
【図１】本発明の実施形態に係る代表的なインクジェット記録装置の構成図を示す。
【図２】図１に示したヘッドユニットが記録可能位置まで下降した状態を示す図である。
【図３】図１及び図２に示した搬送ベルトの平面図である。
【図４】本発明に係る第１の実施形態の概略構成図である。
【図５】本発明の第５の実施形態の構成図である。
【図６】本発明の第６の実施形態の構成図である。
【図７】従来の無端状の搬送ベルト部材の断面図である。
【図８】従来の搬送ベルト部材の平面図である。
【図９】従来の搬送ベルト部材に給電を行う給電手段の構成を示す図である。
【発明を実施するための形態】
【００２０】
次に、本発明の実施形態について図面を参照して説明する。
【００２１】
図１に、代表的なインクジェット記録装置の構成図を示す。図１において、記録用紙供給装置は以下の構成になっている。記録用紙である記録媒体１０１は、給紙カセット１００に格納されている。ピックアップローラ３０１は、記録媒体１０１を給紙カセット１００からピックアップするためのローラである。搬送ローラ３０２、レジローラ３０３、排紙ローラ３０４は、搬送経路上に記録媒体１０１を搬送するためのローラである。分離装置１２９は、搬送ベルト１０２から記録媒体１０１を分離する機能を有し、裏面排紙トレイ１３２には、記録がなされた記録媒体１０１が積載される。
【００２２】
記録媒体搬送装置の搬送ベルト１０２は、駆動ローラ３１１、従動ローラ３１２、ベルトたるみ防止ローラ３１３によって支持されている。駆動ローラ３１１にはモータ１１１が接続されており、モータ１１１が回転することにより駆動ローラ３１１が回転し、搬送ベルト１０２を駆動する。ベルトたるみ防止バネ１０４は、ベルトたるみ防止ローラ３１３に圧力を与えて搬送ベルト１０２に一定の張力が与えられるように構成されている。また、搬送ベルト１０２上に高電圧を印加する高圧給電部１０３が設けられており、静電気力によって記録媒体１０１を搬送ベルト１０２上に吸着して搬送する。
【００２３】
ヘッドユニット２００は、搬送ベルト１０２の上側に位置し、６色の記録ヘッドを搭載している。ヘッドユニット２００には、図示左側から順に、イエロー用のインクジェット記録ヘッドである第６インクジェットヘッド２０１、マゼンタ用のインクジェット記録ヘッドである第５インクジェットヘッド２０２が搭載されている。さらに、シアン用のインクジェット記録ヘッドである第４インクジェットヘッド２０３、ライトマゼンタ用のインクジェット記録ヘッドである第３インクジェットヘッド２０４が搭載されている。さらに、ライトシアン用のインクジェット記録ヘッドである第２インクジェットヘッド２０５、ブラック用のインクジェット記録ヘッドである第１インクジェットヘッド２０６が搭載されている。各インクジェット記録ヘッド２０１〜２０６にはノズル部２１０が設けられており、ノズル部２１０は非記録時にはキャップユニット２２０ａ，２２０ｂによりキャッピングされている。キャップユニット２２０ａ，２２０ｂは、左右方向２３０ａ，２３０ｂに開閉可能である。また、ヘッドユニット２００は、キャップユニット２２０ａ，２２０ｂの開閉に伴い、矢印２４０に示す上下方向に移動することが可能である。
【００２４】
両面反転機構１５０は、反転前ローラ３０５、反転ローラ３０６、反転後ローラ３０７、両面ローラ３０８、パス切換器３５０を含む反転機構を有している。両面反転機構１５０は、搬送ベルト１０２上で記録された記録媒体１０１の表裏を反転し、記録媒体１０１を再度搬送ベルト１０２上へ送る機能を有する。
【００２５】
次に、上記のインクジェット記録装置の動作について説明する。
【００２６】
記録動作を開始するにあたり、ヘッドユニット２００は一旦上昇し、キャップユニット２２０ａ，２２０ｂを左右に移動することにより、ノズル部２１０のキャッピングを解除し、その後、ヘッドユニット２００を記録可能位置まで下降させる。図２はヘッドユニット２００が記録可能位置まで下降した状態を示している。搬送ベルト１０２に駆動モータ１１１から搬送駆動エネルギーが与えられると、搬送ベルト１０２は回転を開始する。搬送ローラ３０２、レジローラ３０３、排紙ローラ３０４の搬送駆動エネルギーは、図示しない他のモータにより与えられ、回転を開始する。
【００２７】
給紙カセット１００からピックアップローラ３０１によりピックアップされた記録媒体１０１は、搬送ローラ３０２、レジローラ３０３を介して記録領域である搬送ベルト１０２上に搬送される。この時、搬送ベルト１０２は高圧給電部１０３により帯電状態になっているので、記録媒体１０１は搬送ベルト１０２に静電吸着される。記録媒体１０１は、インクジェット記録ヘッド２０１〜２０６の下を通過する際にインクジェット記録ヘッド２０１〜２０６から吐出されるインクにより記録が行われる。インクジェット記録ヘッド２０１〜２０６の下を通過した記録媒体１０１は、分離装置１２９により搬送ベルト１０２から分離され、排紙ローラ３０４を通過した後、裏面排紙トレイ１３２へ排出される。
【００２８】
図３は、図１及び図２に示した搬送ベルトの平面図である。図３は、搬送ベルト１０２上にある記録媒体１０１ａ，１０１ｂがインクジェット記録ヘッド２０１〜２０６の下を矢印の搬送方向に向かって搬送される様子を表している。
【００２９】
次に両面印刷時の動作について説明する。
【００３０】
インクジェット記録ヘッド２０１〜２０６から吐出されるインクによって記録が行われ、インクジェット記録ヘッド２０１〜２０６の下を通過した記録媒体１０１は、分離装置１２９を介し、両面反転機構１５０へ搬送される。両面反転機構１５０では、記録媒体１０１は反転前ローラ３０５を通って反転ローラ３０６へ搬送される。記録媒体１０１の後端が反転前ローラ３０５を通過すると、記録媒体１０１の搬送を一旦停止する。パス切換器３５０により、搬送経路が反転ローラ３０７へ向うように切り換える。次に、反転ローラ３０６を停止前の逆方向に回転させ、記録媒体１０１の搬送を再開する。この動作によって記録媒体１０１の表裏反転が行われる。
【００３１】
記録媒体１０１は、両面ローラ３０８に搬送された後に一旦停止する。この後の搬送再開のタイミングは、前方の記録媒体１０１との間隔により決定され、所定時間の待機後に搬送を再開する。搬送を再開した記録媒体１０１は、搬送ローラ３０２、レジローラ３０３を通過した後、再度搬送ベルト１０２上に搬送される。そして、裏面の記録が行われた後、記録媒体１０１は、分離装置１２９によって搬送ベルト１０２から分離され、排紙ローラ３０４を通過した後、裏面排紙トレイ１３２へ排出される。
【００３２】
以下、図面を参照して本発明の好適な実施形態について詳細に説明する。
【００３３】
なお、以下に説明する実施形態では、インクジェット記録方式を用いた記録装置としてプリンタを例に挙げて説明する。
【００３４】
本明細書において、「記録」とは、文字、図形等有意の情報を形成する場合のみならず、有意無意を問わず、また人間が視覚で知覚し得るように顕在化したものであるか否かを問わず、広く記録媒体上に画像、模様、パターン等を形成することを表すものとする。または媒体の加工を行う場合も表すものとする。
【００３５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００３６】
さらに、「インク」とは、上記「記録」の定義と同様広く解釈されるべきもので、記録媒体上に付与されることによって、画像、模様、パターン等の形成または記録媒体の加工、或いはインクの処理に供され得る液体を表すものとする。ここで、インクの処理とは、例えば記録媒体に付与されるインク中の色剤の凝固または不溶化を意味する。
【００３７】
（第１の実施形態）
本発明に係る第１の実施形態について説明する。
【００３８】
図４は、本発明に係る第１の実施形態の概略構成図である。ＰＣ４０５は記録画像を作成・加工・編集するためのパーソナルコンピュータであり、プリントデータを作成する。ＰＣ４０５は、コンピュータに限らず、記録画像を作成・加工・編集できる装置であってもよい。記録制御装置４０１は、ＰＣ４０５から送信されたプリントデータを記録装置４０２の記録データに変換する制御装置である。記録装置４０２は、記録データに基づいた文字や画像を記録媒体に記録する装置であり、図１に示すヘッドユニット２００に相当する。高圧電源制御装置４０３は、高圧電源４０４の電圧を制御する電圧制御装置である。高圧電源４０４は、高圧給電部１０３へ高電圧を印加する装置である。
【００３９】
次に、その動作について説明する。ＰＣ４０５で作成・加工・編集された記録画像は、プリントデータとして記録制御装置４０１へ送出される。プリントデータには、ＰＣ４０５で作成された記録画像の画像データの他に、記録媒体の種類、用紙サイズ、記録品質、特殊効果等の情報もヘッダ情報として含まれる。これらの情報はユーザーがＰＣ４０５から入力するプリントのモードや条件に含まれている。記録制御装置４０１は、プリントデータを受け取ると、プリントデータ内の画像データをヘッダ情報を元に記録装置４０２で記録可能なデータに変換し、記録データとして記録装置４０２へ送出する。記録装置４０２は、記録データに合わせて記録媒体に記録を行う。
【００４０】
一方、記録制御装置４０１は、プリンタデータのヘッダ情報の中にある記録媒体種類情報が光沢紙を示しているか否かの判別を行うためのテーブル（表１参照）を格納している。情報取得手段としての記録制御装置４０１は、該テーブルを参照して記録される記録媒体の種類が光沢紙であるか否かの判別を行い、光沢の多寡に関する情報を取得する。記録される記録媒体の種類が光沢紙であるか否かの判別の結果は、記録媒体情報に含まれて、高圧電源制御装置４０３へ送出される。高圧電源制御装置４０３は、記録媒体情報に含まれた情報が光沢紙である場合、高圧電源４０４から出力される印加電圧を±０．５ｋＶに設定する。あるいは、高圧電源制御装置４０３は、記録媒体情報に含まれた情報が非光沢紙である場合、高圧電源４０４から出力される印加電圧を±１．０ｋＶに設定する。このように、高圧電源制御装置４０３は、高圧電源４０４によって搬送ベルト１０２の高圧給電部１０３へ印加する電圧の値を、記録制御装置４０１から送信されてきた記録媒体情報に応じて変更する。あるいは、ユーザーがＰＣ４０５から入力する情報がテーブルを必要とせずに印か電圧を決定できる情報である場合は、ＰＣ４０５が紙種情報を入力する入力手段となりうる。
【００４１】
【表１】
2010024051.tif 000003
【００４２】
通常、フォトペーパーなどの写真用光沢紙の場合、それ以外の記録紙である非光沢紙と比較し、搬送ベルト１０２と記録媒体との間に働く吸着力は１０倍以上になることが確認されている。そのため、高圧電源４０４から高圧給電部１０３へ印加する電圧を±０．５ｋＶに設定しても、記録媒体を静電吸着ベルトに吸着可能である。
【００４３】
（第２の実施形態）
次に、本発明に係る第２の実施形態について説明する。
【００４４】
本実施形態が第１の実施形態と異なる点は、記録制御装置４０１が有する記録媒体情報のテーブルが、光沢紙であるか否かではなく、記録媒体の種類別に高電圧印加用の記憶媒体か低電圧印加用の記録媒体であるかのテーブルである点である（表２参照）。
【００４５】
【表２】
2010024051.tif 000004
【００４６】
次に動作について説明する。ＰＣ４０５で作成・加工・編集された記録画像は、プリントデータとして記録制御装置４０１へ送出される。プリントデータには、ＰＣ４０５で作成された記録画像の画像データの他に、記録媒体の種類、用紙サイズ、記録品質、特殊効果等の情報もヘッダ情報として含まれる。記録制御装置４０１は、プリントデータを受け取ると、プリントデータ内の画像データをヘッダ情報を元に記録装置４０２で記録可能なデータに変換し、記録データとして記録装置４０２へ送出する。記録装置４０２は、記録データに合わせ記録媒体に記録行う。
【００４７】
一方、記録制御装置４０１は、プリンタデータのヘッダ情報の中にある記録媒体種類情報から、記録媒体が高電圧印加用の記録媒体か低電圧印加用の記録媒体かを判別するためのテーブル（表２参照）を有している。記録制御装置４０１は、記録される記録媒体の種類が高電圧印加用の記録媒体か低電圧印加用の記録媒体かの判別を行い、その結果が、記録媒体情報に含まれて、高圧電源制御装置４０３へ送出される。高圧電源制御装置４０３は、記録媒体情報に含まれた情報が低電圧印加用の記録媒体である場合、高圧電源４０４から出力される印加電圧を±０．５ｋＶに設定する。あるいは、高圧電源制御装置４０３は、記録媒体情報に含まれた情報が高電圧印加用の記録媒体である場合、高圧電源４０４から出力される印加電圧を±１．０ｋＶに設定する。このように、高圧電源制御装置４０３は、高圧電源４０４によって搬送ベルト１０２の高圧給電部１０３へ印加する電圧の値を、記録制御装置４０１から送信されてきた記録媒体情報に応じて変更する。
【００４８】
（第３の実施形態）
次に、本発明に係る第３の実施形態について説明する。
【００４９】
本実施形態が第１及び第２の実施形態と異なる点は、記録制御装置４０１が有する紙種情報のテーブルが、記録媒体の種類ごとに定められた高圧電源４０４から出力される印加電圧を含んでいる点である。
【００５０】
次に動作について説明する。ＰＣ４０５で作成・加工・編集された記録画像は、プリントデータとして記録制御装置４０１へ送出される。プリントデータには、ＰＣ４０５で作成された記録画像の画像データの他に、記録媒体の種類、用紙サイズ、記録品質、特殊効果等の情報もヘッダ情報として含まれる。記録制御装置４０１は、プリントデータを受け取ると、プリントデータ内の画像データをヘッダ情報を元に記録装置４０２で記録可能なデータに変換し、記録データとして記録装置４０２へ送出する。記録装置４０２は、記録データに合わせ記録媒体に記録を行う。
【００５１】
一方、記録制御装置４０１は、プリンタデータのヘッダ情報の中にある記録媒体種類情報に基づいて、記録媒体の種類に応じて表３のテーブルに定められた印加電圧が高圧電源４０４から出力されるように、記録媒体情報を高圧電源制御装置４０３へ送出する。高圧電源制御装置４０３は、紙種情報として受け取った電圧値が高圧電源４０４から出力されるように制御する。このように、高圧電源制御装置４０３は、高圧電源４０４によって搬送ベルト１０２の高圧給電部１０３へ印加する電圧の値を、記録制御装置４０１から送信されてきた記録媒体情報に応じて変更する。
【００５２】
【表３】
2010024051.tif 000005
【００５３】
（第４の実施形態）
次に、本発明に係る第４の実施形態について説明する。
【００５４】
第４の実施形態では、記録媒体の種類の判別を記録媒体の平滑度に基づいて行う。記録制御装置４０１が有する記録媒体種類情報のテーブルは、記録媒体の種類ごとに予め知得されている平滑度が含まれている。
【００５５】
次に動作について説明する。ＰＣ４０５で作成・加工・編集された記録画像は、プリントデータとして記録制御装置４０１へ送出される。プリントデータには、ＰＣ４０５で作成された記録画像の画像データの他に、記録媒体の種類、用紙サイズ、記録品質、特殊効果等の情報もヘッダ情報として含まれる。記録制御装置４０１は、プリントデータを受け取ると、プリントデータ内の画像データをヘッダ情報を元に記録装置４０２で記録可能なデータに変換し、記録データとして記録装置４０２へ送出する。記録装置４０２は、記録データに合わせ記録媒体に記録を行う。
【００５６】
一方、記録制御装置４０１は、プリンタデータのヘッダ情報の中にある記録媒体の種類に関連付けられた平滑度のテーブル（不図示）を有している。記録される記録媒体の平滑度は、記録媒体情報として、高圧電源制御装置４０３へ送出される。高圧電源制御装置４０３は、記録媒体情報に含まれた記録媒体の平滑度が２０００秒以上の場合は、高圧電源４０４から出力される印加電圧を±０．５ｋＶに設定する。あるいは、高圧電源制御装置４０３は、記録媒体情報に含まれた記録媒体の平滑度が２０００秒未満の場合は、高圧電源４０４から出力される印加電圧を±１．０ｋＶに設定する。このように、高圧電源制御装置４０３は、高圧電源４０４によって搬送ベルト１０２の高圧給電部１０３へ印加する電圧の値を、記録制御装置４０１から送信されてきた記録媒体情報に応じて変更する。
【００５７】
また、高圧電源制御装置４０３は、高圧電源４０４から出力される印加電圧を、平滑度に応じた複数のレベルに分けて設定してもよい。例えば、平滑度が２０００秒以上の場合には印加電圧を±０．５ｋＶ、平滑度が１０００秒以上２０００秒未満の場合は印加電圧を１ｋＶ、平滑度が１０００秒未満の場合は印加電圧を２ｋＶに設定してもよい。
【００５８】
（第５の実施形態）
図５に本発明の第５の実施形態を示す。図１、図４と同様の構成については共通の符号を付して説明は省略する。図５の搬送ベルト１０２ａは、電極を備えておらず、記録媒体を吸着する表面は高抵抗、高誘電率の高分子材料で形成されている。４０８は搬送ベルト１０２ａに電圧を印加して帯電させる電圧印加手段である帯電ローラである。帯電ローラ４０８によって高電圧が印加された搬送ベルトは静電気力によって記録媒体を表面に吸着させることができる。
【００５９】
４０５はパソコンなどのホスト装置でプリント命令を発生させて記録装置４０２に送る。４０７はホスト装置４０５からの情報を受け取るインターフェイス、４０１は制御手段であるＣＰＵである。４０９は給紙ローラ３０１によって給送された記録媒体を搬送ベルト１０２ａに押し付けて吸着させるピンチローラである。
【００６０】
第５実施形態においても紙種情報はホスト装置４０５から送られてくるプリント情報に含まれている。
【００６１】
４２０は光源であり、カセット１００に積載された記録媒体１０１の表面に光を照射する発光素子である。４２１は記録媒体１０１の表面によって反射した発光素子４２０からの光を受光する受光素子である。受光素子４２１が受光した反射光量によってＣＰＵは記録媒体１０１の表面の平滑性、光沢の程度を判別する。４２１はＣＣＤなどの記録媒体１０１の表面の画像を読み取る読取手段であっても良い。ＣＣＤ４２１が読み取った記録媒体の表面の画像情報によってＣＰＵは記録媒体１０１の表面の平滑性、光沢の程度を判別する。発光素子４２０と受光素子４２１は紙種を検知するセンサであるとともに、記録媒体に関する情報を取得する取得手段である。
【００６２】
（第６の実施形態）
図６は、本発明の第６の実施形態を示す。第６の実施形態は帯電ローラ４１０がピンチローラを兼ねている。帯電ローラは４１０は記録媒体を介して搬送ベルト１０２ａに高電圧を印加する。その他は実施形態５と同様である。
【００６３】
上述したように、上記の実施形態によれば、静電吸着ベルトの電極に印加される電圧が記録媒体の種類に応じて設定される。例えば、静電吸着力の弱い記録媒体の場合には静電吸着ベルトの電極に高電圧が印加され、静電吸着力の強い記録媒体の場合には静電吸着ベルトの電極に低電圧が印加される。これにより、記録媒体と静電吸着ベルトとの間に隙間が生じたり記録媒体の一部に浮きが生じたりすることなく、静電吸着ベルトに記録媒体を吸着することができ、記録媒体を良好に搬送することができる。同時に、記録媒体の種類に応じて最低限の電圧を印加することができるため、静電吸着ベルトから発生する電界も最小限に抑えられる。よって、リークによる静電吸着ベルトやインクジェット記録ヘッドの破壊を抑制できる効果があり、また、インクジェット記録ヘッドから吐出されるインク滴が電界の影響を受けることによる着弾位置のずれも抑制でき、記録画像の品位低下を防ぐことができる。
【００６４】
また、記録媒体を光沢／非光沢に分類し、光沢紙の場合は静電吸着ベルトの電極に印加する電圧を低くし、非光沢紙の場合は静電吸着ベルトの電極に印加する電圧を高くしてもよい。これにより、記録媒体と静電吸着ベルトとの間に隙間が生じたり記録媒体の一部に浮きが生じたりすることなく、静電吸着ベルトに記録媒体を吸着することができ、記録媒体を良好に搬送することができる。一般的に、光沢紙は写真記録など高画質を要求される記録目的に使用される。非光沢紙と比較して静電吸着力の強い光沢紙の場合は、静電吸着ベルトの電極に印加する電圧を低くすることで、インクジェット記録ヘッドから吐出されるインク滴が電界の影響を受けることによる着弾位置のずれも抑制でき、より高画質な画像記録を実現できる。
【００６５】
あるいは、記録媒体の表面の平滑度により記録媒体を分類し、平滑度が高い場合（２０００秒以上）は静電吸着ベルトの電極に印加する電圧を低くし、平滑度が低い場合（２０００秒未満）は静電吸着ベルトの電極に印加する電圧を高くしてもよい。これにより、記録媒体と静電吸着ベルトとの間に隙間が生じたり記録媒体の一部に浮きが生じたりすることなく、静電吸着ベルトに記録媒体を吸着することができ、記録媒体を良好に搬送することができる。
【符号の説明】
【００６６】
１０２  搬送ベルト
１０３  高圧給電部
４０１  記録制御装置
４０３  高圧電源制御装置
４０４  高圧電源
【図１】
2010024051.tif 000006
【図２】
2010024051.tif 000007
【図３】
2010024051.tif 000008
【図４】
2010024051.tif 000009
【図５】
2010024051.tif 000010
【図６】
2010024051.tif 000011
【図７】
2010024051.tif 000012
【図８】
2010024051.tif 000013
【図９】
2010024051.tif 000014